(57)【特許請求の範囲】
【請求項１】
楽曲を再生するオーディオ装置であって、
楽曲と、楽曲に関連付けられた画像であるタイトル画像と、前記楽曲が属するアルバムに関連付けられた画像であるアルバム画像とを記憶した記憶装置と、
前記各アルバムに関連付けられたアルバム画像を一列に配置したアルバム画像列を含むメニューを表示するメニュー制御手段と、
楽曲の再生を制御する再生制御手段とを有し、
前記メニュー制御手段は、
前記メニュー上で前記アルバム画像列中のアルバム画像の選択を受け付けるアルバム選択受付手段と、
ユーザの、前記アルバム画像列中のアルバム画像を対象とするタイトル画像の展開操作が発生したときに、当該展開操作の対象となったアルバム画像が関連づけられたアルバムに属する各楽曲に関連付けられた各タイトル画像を、アルバム画像列中の、当該展開操作の対象となったアルバム画像と、前記アルバム画像列の並び上において当該展開操作の対象となったアルバム画像の次に配置されているアルバム画像との間に、当該展開操作の対象となったアルバム画像と前記次に配置されているアルバム画像との間の間隔を広げた上で挿入配置するタイトル画像展開手段と、
前記メニュー上でタイトル画像の選択を受け付ける楽曲選択受付手段とを有し、
前記再生制御手段は、前記アルバム選択受付手段が選択を受け付けたアルバム画像が関連づけられているアルバムに属する各楽曲の再生の制御と、前記楽曲選択受付手段が選択を受け付けたタイトル画像が関連づけられている楽曲の再生の制御とを行うことを特徴とするオーディオ装置。
【請求項２】
請求項１記載のオーディオ装置であって、
前記タイトル画像展開手段は、前記展開操作の対象となったアルバム画像が関連づけられたアルバムに属する各楽曲に関連付けられた各タイトル画像を一列に、前記アルバム画像列の並び方向に並べた形態で、前記展開操作の対象となったアルバム画像と前記次に配置されているアルバム画像との間に挿入配置することを特徴とするオーディオ装置。
【請求項３】
請求項１または２記載のオーディオ装置であって、
前記画像展開手段は、前記メニュー上でのアルバム画像の移動操作を、当該アルバム画像を対象とする、ユーザのタイトル画像の展開操作として受け付け、当該展開操作の対象となったアルバム画像が関連づけられたアルバムに属する各楽曲に関連付けられた各タイトル画像を、アルバム画像列中の、当該展開操作の対象となったアルバム画像と前記次に配置されているアルバム画像との間に、前記アルバム画像列の並び上において当該展開操作の対象となったアルバム画像以前に配置されている各アルバム画像を前記移動操作に従って移動することにより、当該展開操作の対象となったアルバム画像と、前記次に配置されているアルバム画像との間の間隔を広げた上で挿入配置することを特徴とするオーディオ装置。
【請求項４】
請求項１、２または３記載のオーディオ装置であって、
当該オーディオ装置は、自動車に搭載される車載型のオーディオ装置であることを特徴とする車載オーディオ装置。
【請求項５】
コンピュータによって読みとられ実行されるコンピュータプログラムであって、
当該コンピュータプログラムは、前記コンピュータを、
楽曲と、楽曲に関連付けられた画像であるタイトル画像と、前記楽曲が属するアルバムに関連付けられた画像であるアルバム画像とを記憶した記憶装置と、
前記各アルバムに関連付けられたアルバム画像を一列に配置したアルバム画像列を含むメニューを表示するメニュー制御手段と、
楽曲の再生を制御する再生制御手段として機能させ、かつ、
前記メニュー制御手段は、
前記メニュー上で前記アルバム画像列中のアルバム画像の選択を受け付けるアルバム選択受付手段と、
前記アルバム画像列中のアルバム画像を対象とするユーザのタイトル画像の展開操作が発生したときに、当該展開操作の対象となったアルバム画像が関連づけられたアルバムに属する各楽曲に関連付けられた各タイトル画像を、アルバム画像列中の、当該展開操作の対象となったアルバム画像と、前記アルバム画像列の並び上において当該展開操作の対象となったアルバム画像の次に配置されているアルバム画像との間に、当該展開操作の対象となったアルバム画像と前記次に配置されているアルバム画像との間の間隔を広げた上で挿入配置するタイトル画像展開手段と、
前記メニュー上でタイトル画像の選択を受け付ける楽曲選択受付手段とを有し、
前記再生制御手段は、前記アルバム選択受付手段が選択を受け付けたアルバム画像が関連づけられているアルバムに属する各楽曲の再生の制御と、前記楽曲選択受付手段が選択を受け付けたタイトル画像が関連づけられている楽曲の再生の制御とを行うことを特徴とするコンピュータプログラム。
【請求項６】
請求項５記載のコンピュータプログラムであって、
前記タイトル画像展開手段は、展開操作の対象となったアルバム画像が関連づけられたアルバムに属する各楽曲に関連付けられた各タイトル画像を一列に、前記アルバム画像列の並び方向に並べた形態で、前記展開操作の対象となったアルバム画像と前記次に配置されているアルバム画像との間に挿入配置することを特徴とするコンピュータプログラム。
【請求項７】
請求項５または６記載のコンピュータプログラムであって、
前記画像展開手段は、前記メニュー上でのアルバム画像の移動操作を、当該アルバム画像を対象とする、ユーザのタイトル画像の展開操作として受け付け、当該展開操作の対象となったアルバム画像が関連づけられたアルバムに属する各楽曲に関連付けられた各タイトル画像を、アルバム画像列中の、当該展開操作の対象となったアルバム画像と前記次に配置されているアルバム画像との間に、前記アルバム画像列の並び上において当該展開操作の対象となったアルバム画像以前に配置されている各アルバム画像を前記移動操作に従って移動することにより、当該展開操作の対象となったアルバム画像と、前記次に配置されているアルバム画像との間の間隔を広げた上で挿入配置することを特徴とするコンピュータプログラム。
【発明の詳細な説明】
【技術分野】
【０００１】
本発明は、楽曲の再生を行うオーディオ再生装置において、ユーザの楽曲の選択を支援する技術に関するものである。
【背景技術】
【０００２】
楽曲の再生を行うオーディオ再生装置において、ユーザの楽曲の選択を支援する技術としては、アルバムに関連づけられた画像であるアルバム画像の一覧と、当該アルバム画像の一覧中からユーザによって選択されたアルバム画像が関連づけられたアルバムに含まれるタイトルに対応づけれられた画像であるタイトル画像の一覧とを表示し、タイトル画像の一覧中からのタイトル画像の選択によって、ユーザから当該選択されたタイトル画像が関連づけられたタイトルを、ユーザが選択したタイトルとして受け付ける技術が知られている（たとえば、特許文献１）。
【特許文献１】特開2002-82745号公報
【発明の開示】
【発明が解決しようとする課題】
【０００３】
さて、車載のオーディオ装置やポータブルオーディオ再生装置に備えられる表示装置は比較的小型の表示装置であることが多い。
そして、このような小型の表示装置において、上述のようにアルバム画像の一覧と、タイトル画像の一覧との双方を別個に表示すると、各画像のサイズが小さくなり、その視認性が劣化する。一方、アルバム画像の一覧の表示と、タイトル画像の一覧との表示とを、両表示を切り替えながら行うものとすると、両一覧を同時に確認することができなくなり、その操作性が劣化することになる。
【０００４】
そこで、本発明は、楽曲の再生を行うオーディオ再生装置において、比較的小型の表示装置を用いた場合にも視認性や操作性を確保できるように、ユーザの楽曲の選択を支援することを課題とする。
【課題を解決するための手段】
【０００５】
前記課題達成のために、本発明は、楽曲を再生するオーディオ装置に、楽曲と、楽曲に関連付けられた画像であるタイトル画像と、前記楽曲が属するアルバムに関連付けられた画像であるアルバム画像とを記憶した記憶装置と、前記各アルバムに関連付けられたアルバム画像を一列に配置したアルバム画像列を含むメニューを表示するメニュー制御手段と、楽曲の再生を制御する再生制御手段とを設けると共に、前記メニュー制御手段を、前記メニュー上で前記アルバム画像列中のアルバム画像の選択を受け付けるアルバム選択受付手段と、ユーザのタイトル画像の展開操作が発生したときに、当該展開操作の対象となったアルバム画像が関連づけられたアルバムに属する各楽曲に関連付けられた各タイトル画像を、アルバム画像列中の、当該展開操作の対象となったアルバム画像と、前記アルバム画像列の並び上において当該展開操作の対象となったアルバム画像の次に配置されているアルバム画像との間に、当該展開操作の対象となったアルバム画像と前記次に配置されているアルバム画像との間の間隔を広げた上で挿入配置するタイトル画像展開手段と、前記メニュー上でタイトル画像の選択を受け付ける楽曲選択受付手段とより構成したものである。ただし、前記再生制御手段は、前記アルバム選択受付手段が選択を受け付けたアルバム画像が関連づけられているアルバムに属する各楽曲の再生の制御と、前記楽曲選択受付手段が選択を受け付けたタイトル画像が関連づけられている楽曲の再生の制御とを行うものである。
【０００６】
このようなオーディオ装置によれば、アルバム画像を一列に配置した形態でアルバム画像の一覧を表示すると共に、ユーザのアルバム画像に対する展開操作に応じて、当該アルバム画像のアルバムの各楽曲のタイトル画像を、アルバム画像列中に各タイトル画像を挿入配置した形態で表示する。したがって、アルバム画像の一覧の表示スペースを、タイトル画像の一覧の表示に共用することができ、これにより各画像のサイズを大きく確保しつつ、アルバム画像の一覧とタイトル画像の一覧を同時に表示するこができる。よって、比較的小型の表示装置を用いた場合にも視認性や操作性を確保しつつ、ユーザのアルバムや楽曲の選択を支援することができるようになる。
【０００７】
ここで、このようなオーディオ装置は、前記タイトル画像展開手段において、展開操作の対象となったアルバム画像が関連づけられたアルバムに属する各楽曲に関連付けられた各タイトル画像を一列に、前記アルバム画像列の並び方向に並べた形態で、前記展開操作の対象となったアルバム画像と前記次に配置されているアルバム画像との間に挿入配置するように構成してもよい。
【０００８】
また、このようなオーディオ装置は、前記画像展開手段において、前記メニュー上でのアルバム画像の移動操作を、当該アルバム画像を対象とする、ユーザのタイトル画像の展開操作として受け付け、当該展開操作の対象となったアルバム画像が関連づけられたアルバムに属する各楽曲に関連付けられた各タイトル画像を、アルバム画像列中の、当該展開操作の対象となったアルバム画像と前記次に配置されているアルバム画像との間に、前記アルバム画像列の並び上において当該展開操作の対象となったアルバム画像以前に配置されている各アルバム画像を前記移動操作に従って移動することにより、当該展開操作の対象となったアルバム画像と、前記次に配置されているアルバム画像との間の間隔を広げた上で挿入配置するように構成してもよい。
【０００９】
なお、これらのオーディオ装置は、自動車に搭載されるオーディオ装置である車載オーディオ装置や、携帯型のオーディオ装置であるポータブルミュージックプレイヤなどの比較的小型の表示装置を備えるオーディオ装置に好適に適用することができる。
【発明の効果】
【００１０】
以上のように、本発明によれば、曲の再生を行うオーディオ再生装置において、比較的小型の表示装置を用いた場合にも視認性や操作性を確保できるように、ユーザの楽曲の選択を支援することができる。
【発明を実施するための最良の形態】
【００１１】
以下、本発明の実施形態を、自動車に搭載される車載オーディオ装置への適用を例にとり示す。
図１に、本実施形態に係る車載オーディオ装置の構成を示す。
車載オーディオ装置１は自動車に搭載されるものであり、ラジオ受信機１１、ＣＤやＤＶＤディスクなどのリムーバブルディスクを再生するリムーバブルディスクドライブ１２、外部インタフェース１３、ＨＤＤ１４、オーディオ処理部１５、スピーカ１６、操作部１７、表示部１８、制御部１９、ミュージックプレイヤ２０とを備えている。
【００１２】
但し、以上の車載オーディオ装置１は、ハードウエア的には、マイクロプロセッサや、メモリや、その他の周辺デバイスを有する一般的な汎用計算機としての構成を備えたコンピュータを利用して構成されるものであって良く、この場合、以上の車載オーディオ装置１の制御部１９やオーディオ処理部１５やミュージックプレイヤ２０は、マイクロプロセッサが予め用意されたプログラムを実行することにより具現化するプロセスとして実現されるものであって良い。また、この場合、このようなプログラムは、記録媒体や適当な通信路を介して、車載オーディオ装置１に提供されるものであって良い。
【００１３】
さて、ここで、外部インタフェース１３には、メモリカードやUSBメモリ装置などのポータブル記憶装置２を選択的に接続することができる。
次に、ラジオ受信機１１は、ラジオ放送を受信し、オーディオ処理部１５は、入力するオーディオデータが表す音声をスピーカ１６に出力する処理を行う。
そして、このような構成において制御部１９は、操作部１７のユーザ操作によってオーディオソースとしてラジオ受信機１１が設定されているときには、操作部１７のユーザ操作に応じて、ラジオ受信機１１の受信チャネルを設定すると共に、オーディオ処理部１５に、ラジオ受信機１１が出力するオーディオデータが表す音声をスピーカ１６に出力させる。
【００１４】
また、制御部１９は、操作部１７のユーザ操作によってオーディオソースとして、リムーバブルディスクドライブ１１に装着されたＣＤやＤＶＤなどのリムーバブルディスクが設定されているときには、リムーバブルディスクにオーディオファイルやオーディオトラックの形態で記録されているオーディオデータを読み出して、オーディオ処理部１５に出力すると共に、オーディオ処理部１５に、当該提供したオーディオデータが表す音声をスピーカ１６から出力させる。
【００１５】
また、制御部１９は、操作部１７のユーザ操作によってオーディオソースとして、ミュージックプレイヤ２０が設定されているときには、ミュージックプレイヤ２０の再生制御処理を起動し、ミュージックプレイヤ２０がＨＤＤ１４に記録されているオーディオファイルから再生したオーディオデータが表す音声を、オーディオ処理部１５にスピーカ１６から出力させる。
【００１６】
また、制御部１９は、リムーバブルディスクドライブ１１にオーディオファイルを記憶しているＣＤやＤＶＤなどのリムーバブルディスクが装着された場合や、ポータブル記憶装置２が接続された場合に、これらリムーバブルディスクやポータブル記憶装置２に記憶されているオーディオファイルを読み出してＨＤＤ１４に記録するオーディオファイル読み込み処理や、リムーバブルディスクドライブ１１にＣＤ-ＤＡが装着された場合に、ＣＤ-ＤＡに記録されているオーディオトラックのオーディオデータを読み出してオーディオファイルとしてＨＤＤ１４に記録するリッピング処理なども行う。
【００１７】
さて、ＨＤＤ１４には、ミュージックデータベース、オーディオファイル、画像ファイルが格納される。
ここで、ミュージックデータベースの内容を図２に示す。
図示するように、ミュージックデータベースは、ＨＤＤ１４のいずれかのオーディオファイルに格納されているタイトル（楽曲）が含まれるアルバム（アルバム内の少なくとも一つのタイトルのオーディオファイルがＨＤＤ１４に格納されているアルバム）毎に対応して設けられたアルバムデータを有し、各アルバムデータには、対応するアルバムの名称を表すアルバム、対応するアルバムの歌手や演奏者を表すアーティスト、対応するアルバムの楽曲としての分類を表すジャンルなどの、対応するアルバムの各種属性が登録される。また、各アルバムデータには、対応するアルバムに関連づけられた画像（通常はアルバムのジャケット写真）であるアルバムアートワークを格納した画像ファイルの位置を示すアルバムアートワークファイルパスと、タイトルデータとが格納される。そして、タイトルデータには、対応するアルバムに含まれるタイトルであって当該タイトルを格納したオーディオファイルがＨＤＤ１４に記憶されてるタイトル毎に対応して設けたタイトル情報レコードが格納される。
【００１８】
そして、タイトル情報レコードには、対応するタイトルの名称を表すタイトル、対応するタイトルの歌手や演奏者を表すアーティスト、対応するタイトルの楽曲としての分類を表すジャンル、対応するタイトルが属するアルバムの名称を表すアルバムなどの、対応するタイトルの各種属性が登録される。また、各タイトル情報レコードには、対応するタイトルのオーディオデータを格納したオーディオファイルの位置を示すオーディオファイルパスと、対応するタイトルに関連づけられた画像であるタイトルアートワークを格納した画像ファイルの位置を示すタイトルアートワークファイルパスとが格納される。
【００１９】
以下、このような構成においてミュージックプレイヤ２０が行う再生制御処理について説明する。
図３に、この再生制御処理の手順を示す。
図示するように、この処理では、まず、ミュージックデータベースにアルバムデータが登録されているアルバムを所定のアルバム順序（たとえば、アルバムデータ登録順や、アイウエオ順）に所定数選定し、選定したアルバムのアルバムアートワークを表示対象アートワークに設定し、当該表示対象アートワークを前記アルバム順序に従って左から右に一列に配置したアルバムメニューを、図４ａに示すように表示装置に表示する（ステップ３０２）。なお、各アルバムのアルバムアートワークは、当該アルバムのアルバムデータに登録されているアルバムアートワークファイルパスが示す画像ファイルに格納されているアルバムアートワークとして求まる。
【００２０】
ここで、図４ａに示すように、このアルバムメニューは、所定数(図では５つ）のアルバムのアルバムアートワーク４０１-４０５をアルバム順序に従って左から右に横一列に配置したものとなっている。また、このアルバムメニューには、ユーザの左右へのスクロール操作を受け付けるスクロールバー４１０と、情報表示ボックス４２０が設けられている。
【００２１】
さて、図３に戻り、このようなアルバムメニューを表示したならば、ユーザのスクロールバー４１０を用いたスクロール操作の発生と（ステップ３０４）、アルバムメニュー上でのユーザの表示対象アートワーク選択操作の発生と（ステップ３０６）、ユーザの再生指示操作の発生と（ステップ３０８）、タイトルアートワーク展開操作の発生と（ステップ３１０）、タイトルアートワーク移動操作の発生（ステップ３１２）とを監視する。ただし、タイトルアートワーク移動操作は、後述するようにタイトルアートワークを表示対象アートワークとして表示している期間にのみ発生し得る。
【００２２】
ここで、アルバムメニューを表示した初期段階では、表示対象アートワークに設定されているタイトルアートワークも、後述するタイトル展開中アルバムも、後述する表示候補タイトルアートワークも設定されていない。
そこで、まず、このように表示対象アートワークに設定されているタイトルアートワークもタイトル展開中アルバムも表示候補タイトルアートワークも設定されていない状態における動作について説明する。
この場合、まず、スクロール操作が発生したならば（ステップ３０４）、アルバムのアルバムアートワークのみを対象として、表示対象アートワークとしてアルバムメニューに配置するアルバムアートワークと、その配置を、スクロール操作のスクロール方向と、スクロール量に応じて更新する（ステップ３１４）。
【００２３】
すなわち、たとえば、図４ａに示すようにアルバムアートワークのみを表示対象アートワークとして含むアルバムメニューが表示されているときに、図４ｂに示すように、右方向へのスクロール操作が発生した場合には、ステップ３１４では、図示するように、スクロール方向と反対の左方向に、スクロール操作の操作量分、当該時点における表示対象アートワークのアルバムメニュー上の配置位置を移動すると共に、移動の結果、アルバムメニューの領域外の位置となる表示対象アートワーク４０１を、表示対象アートワークから除外し、その表示を消去する。また、当該移動によって生じたアルバムメニュー上の右側の空白に、移動後にアルバムメニューの右側端の表示対象アートワーク４０５となっているアルバムアートワークのアルバム順序上直後のアルバム以降のアルバムアートワークを、アルバム順序に従って空白に配置可能な数選択し、表示対象アートワーク４０６として、アルバムメニューに、前記アルバム順序に従って左から右に一列に配置する。
【００２４】
また、図４ａの状態で、左方向へのスクロール操作が発生した場合には、ステップ３１４では、逆に、スクロール方向と反対の右方向に、スクロール操作の操作量分、当該時点における表示対象アートワークのアルバムメニュー上の配置位置を移動すると共に、移動の結果、アルバムメニューの領域外の位置となる表示対象アートワークを、表示対象アートワークから除外し、その表示を消去する。また、当該移動によって生じたアルバムメニュー上の左側の空白に、移動後にアルバムメニューの左側端の表示対象アートワークとなっているアルバムアートワークのアルバム順序上直前のアルバム以前のアルバムアートワークを、アルバム順序の逆順に従って空白に配置可能な数選択し、表示対象アートワークとして、アルバムメニューに、前記アルバム順序の逆順に従って右から左に一列に配置する。
【００２５】
そして、このようにスクロール操作に応じてアルバムメニューを更新したならば（ステップ３１４）、タイトル展開中アルバムに設定されているアルバムであって、当該アルバムのアルバムアートワークと、当該アルバムに含まれる各タイトルのタイトルアートワークの全てが表示対象アートワークでなくなったアルバムが存在するかどうかを調べ（ステップ３１６）、ここでは存在しないのでステップ３０４-３１２の監視に戻る。
【００２６】
次に、たとえば、図４ｃに示すように、アルバムメニュー上でのユーザの表示対象アートワークの選択操作が発生した場合には（ステップ３０６）、選択された表示対象アートワークを選択中アートワークに設定する（ステップ３０６）。すなわち、たとえば、図４ｃに示すように、ユーザの表示対象アートワークとなっているアルバムアートワーク４０３が選択されると、アルバムアートワーク４０３が選択中アートワークに設定される。そして、アルバムアートワーク４０３が選択中アートワークに設定されたならば、情報表示ボックス４２０には、選択中アートワークのアルバムのアルバムデータに格納されたアルバムの名称や、アーティストなどを表示する（ステップ３２０）。そして、ステップ３０４-３１２の監視に戻る。
【００２７】
次に、図４ｃのようにアルバムアートワーク４０３が選択中アートワークに設定された状態でユーザから再生開始が指示されたならば（ステップ３０８）、選択中アートワークのアルバムを再生する（ステップ３２２）。ここで、再生開始の指示は、たとえば、ユーザの選択中アートワークのダブルクリックによって受け付けるようにする。ただし、再生指示操作は、別途、アルバムメニュー上に再生指示受け付け用のボタンを設け、当該ボタンの操作によって受け付けるようにしてもよい。
また、このアルバムの再生では、選択中アートワークのアルバムのアルバムデータに基づいて、当該選択中アートワークのアルバムに含まれる各タイトルのオーディオファイルを順次再生する。なお、各アルバムに含まれる各タイトルのオーディオファイルは、当該アルバムのアルバムデータのタイトルデータに含まれる各タイトル情報レコードにオーディオファイルパスが登録された各オーディオファイルとして求まる。
【００２８】
次に、図４ｃのようにアルバムアートワーク４０３が選択中アートワークに設定された状態でユーザのタイトルアートワーク展開操作が発生したならば（ステップ３１０）、ステップ３２４、３２６を行ってステップ３０４-３１２の監視に戻る。
ここで、タイトルアートワーク展開操作は、たとえば、図４ｄに示すように、選択中アートワークに設定されているアルバムアートワークの左方向へのドラッグ操作によって受け付ける。ただし、タイトルアートワーク展開操作は、別途アルバムメニュー上にタイトルアートワーク展開操作受け付け用のボタンを設け、当該ボタンの操作によって受け付けるようにしてもよい。または、ステップ３０６のアルバムアートワーク４０３の選択受付後に、所定期間、一切のユーザ操作が発生しなかった場合に、自動的に、タイトルアートワーク展開操作が発生してものとすることにより受け付けるようにしてもよい。
【００２９】
そして、図４ｃのようにアルバムアートワーク４０３が選択中アートワークに設定された状態でユーザのタイトルアートワーク展開操作が発生した場合に、ステップ３２４では、図４ｅに示すように選択中アートワークに設定されているアルバムアートワーク４０３をアルバムメニューの左側先頭に配置し、選択中アートワークに設定されているアルバムアートワーク４０３のアルバム順序上次のアルバムのアルバムアートワーク４０４を、アルバムメニューの右側末尾に配置し直す。そして、選択中アートワークに設定されているアルバムアートワーク４０３のアルバムを、タイトル展開中アルバムに設定する。
【００３０】
そして、ステップ３２６において、選択中アルバムアートワーク４０３のアルバムのアルバムデータのタイトルデータに基づいて、選択中アルバムアートワーク４０３のアルバムに含まれるタイトルのタイトルアートワークを、タイトル順序に従って、アルバムメニューの先頭の選択中アルバムアートワーク４０３と末尾のアルバムアートワーク４０４との間に配置可能な数、選択する。なお、各アルバムに含まれるタイトルのタイトルアートワークは、当該アルバムのアルバムデータのタイトルデータに含まれる各タイトル情報レコードの画像ファイルパスが示す画像ファイルに格納されたアートワークとして求まる。また、タイトル順序は、タイトルデータのタイトル情報レコードの登録順として定めたり、タイトルの名称のアイウエオ順として定めるようにする。
【００３１】
そして、選択したタイトルアートワークを表示候補タイトルアートワークとして設定する。また、図４ｅに示すように、選択したタイトルアートワーク４５１、４５２、４５３、４５４を表示対象アートワークとして、アルバムメニューの先頭の選択中アルバムアートワーク４０３と末尾のアルバムアートワーク４０４との間に追加配置する。ただし、図示するように、タイトルアートワークである表示対象アートワーク４５１-４５４は、アルバムアートワークである表示対象アートワーク４０３、４０４よりも少し小さめのサイズで表示する。
【００３２】
この結果、タイトルアートワーク展開操作が発生すると、選択中アルバムアートワーク４０３のアルバムに含まれるタイトルのうちの先頭から所定数（図４ｅでは４つ）のタイトルのタイトルアートワーク４５１-４５４が、アルバムメニューにおいてアルバムメニューの選択中アルバムアートワーク４０３の後ろに表示されることになる。
【００３３】
以上、表示対象アートワークに設定されているタイトルアートワークもタイトル展開中アルバムも表示候補タイトルアートワークも設定されていない状態における動作について説明した。
以下、図４ｅに示すように、以上のようにして表示対象アートワークに設定されたタイトルアートワークや、タイトル展開中アルバムや、表示候補タイトルアートワークが存在する場合の動作について説明する。
この場合、ステップ３０４-３１２の監視中に、たとえば、図４ｆに示すように、アルバムメニュー上でのユーザの表示対象アートワーク選択操作が発生した場合には（ステップ３０６）、選択された表示対象アートワークが図４ｆに示すようにタイトルアートワーク４５２であった場合には、そのタイトルアートワーク４５２を選択中アートワークに設定する。そして、タイトルアートワーク４５２が選択中アートワークに設定されたならば、情報表示ボックス４２０に、選択中アートワークに設定されたタイトルアートワーク４５２のタイトルのタイトル情報レコードに格納されたタイトルの名称や、アーティストなどを表示する（ステップ３２０）。そして、ステップ３０４-３１２の監視に戻る。
【００３４】
次に、ステップ３０４-３１２の監視中、図４ｆのようタイトルアートワーク４５２が選択中アートワークに設定された状態で、ユーザから再生開始が指示されたならば（ステップ３０８）、選択中アートワークに設定されているタイトルアートワーク４５２のタイトルのオーディオファイルを再生する（ステップ３２２）。ここで、このタイトルの再生で再生するオーディオファイルは、選択中アートワークに設定されているタイトルアートワーク４５２のタイトルのタイトル情報レコードにオーディオファイルパスが登録されたオーディオファイルとして求まる。
【００３５】
次に、ステップ３０４-３１２の監視中、タイトルアートワーク移動操作が発生したならば（ステップ３１２）、表示対象アートワーク及びその配置や表示候補アートワークやデータ展開中アルバムの設定を更新する（ステップ３２８）。ここで、タイトルアートワーク移動操作は、図５ａ、ｂに示すように、アルバムメニュー上での、表示対象アートワークに設定されているタイトルアートワークの左右へのドラッグ操作によって受け付ける。
【００３６】
また、ステップ３２８の更新は、次のように行う。
すなわち、たとえば、図５ａ１に示すように、アルバムメニュー上でタイトルアートワーク４５２が左方向にドラッグされたならば、タイトルアートワーク４５２のタイトルが属するアルバムの次アルバムのアルバムアートワーク４０４より左側に配置している表示対象アートワーク４０３、４５１-４５４の全てを、図５ａ２に示すように、ドラッグされた量分、アルバムメニュー上で左方向に移動する。ただし、移動の結果、アルバムメニューの領域外となる表示対象アートワークに４０３については、これを表示対象アートワークから除外し、そのアルバムメニュー上への表示は行わない。そして、図５ａ２に示すように、表示対象アートワーク４０３、４５１-４５４の左方向への移動により生じた、次アルバムのアルバムアートワーク４０４の直前の空白部分に、現在表示対象アートワークなっている表示対象アートワーク４５１-４５４と同じアルバムに含まれる、タイトル順序上、当該タイトルアートワークの４５１-４５４のうちの右端のタイトルアートワーク４５４のタイトルの直後のタイトル以降のタイトルのタイトルアートワークを、タイトル順序に従って、空白部分に配置可能な数、選択する。そして、選択したタイトルアートワーク４５５を、表示候補タイトルアートワークに設定する。また、選択したタイトルアートワーク４５５を表示対象アートワークに設定し、当該空白部分にタイトル順に左から右へ配置する。
【００３７】
一方、図５ｂ１に示すように、アルバムメニュー上でタイトルアートワーク４５２が右方向にドラッグされたならば、タイトルアートワーク４５２のタイトルが属するアルバムの次アルバムのアルバムアートワーク４０４より左側に配置している表示対象アートワーク４５１-４５５の全てを、アルバムメニュー上で図５ｂ２に示すように、ドラッグされた量分、右方向に移動する。ただし、移動の結果、アルバムメニューの領域外となる表示対象アートワークについては、これを表示対象アートワークから除外し、そのアルバムメニュー上への表示は行わない。また、移動の結果、次アルバムのアルバムアートワーク４０４と重なったり、次アルバムのアルバムアートワーク４０４より右側に位置することになる表示対象アートワーク４５５については、これを表示対象アートワークから除外し、そのアルバムメニュー上への表示は行わず、次アルバムのアルバムアートワーク４０４の表示をそのまま維持する。また、次アルバムのアルバムアートワーク４０４と重なったり、アルバムのアルバムアートワーク４０４より右側に位置することになる表示対象アートワーク４５５については、表示候補タイトルアートワークからも除外する。そして、この結果、ドラッグされたタイトルアートワーク４５２のタイトルが属するアルバムに属するタイトルのタイトルアートワークが一つも表示候補タイトルアートワークとして設定されていないこととなったならば、当該アルバムのタイトル展開中アルバムとしての設定も解除する。
【００３８】
そして、図５ｂ２に示すように、表示対象アートワーク４５１-４５５の右方向への移動により生じた、当該時点における表示対象アートワーク４５１-４５４の左側の空白に、現在表示対象アートワークなっている表示対象アートワーク４５１-４５４と同じアルバムに含まれる、表示対象アートワーク４５１-４５４の左端のタイトルアートワーク４５１のタイトルの直前のタイトル以前のタイトルのタイトルアートワークを、タイトル順序の逆順に従って、空白部分に配置可能な数選択して、表示対象アートワークに設定し、当該空白部分にタイトル順序の逆順に右から左へ配置する。また、左端のタイトルアートワーク４５４のタイトルの直前のタイトルが存在しない場合や、左端のタイトルアートワーク４５４のタイトルの直前のタイトルの全てを表示対象アートワークとして表示しても空白が残る場合には、図５ｂ２に示すように、現在表示対象アートワークとなっているタイトルアートワーク４５１-４５４のタイトルが含まれるアルバムのアルバムアートワーク４０３を表示対象アートワークに設定し、左端のタイトルアートワーク４５４の左に表示する。また、現在表示対象アートワークとなっているタイトルアートワーク４５１-４５５のタイトルが含まれるアルバムのアルバムアートワーク４０３を表示してもさらに、空白が残る場合には、当該時点において左端に表示されているアルバムアートワーク４０３のアルバムの直前のアルバム以前のアルバムのアルバムアートワークを、アルバム順序の逆順に従って、空白部分に配置可能な数選択して、表示対象アートワークに設定し、当該空白部分にアルバム順序の逆順に右から左へ配置する。
【００３９】
ここで、以上の処理の結果、タイトル順序上、タイトルアートワーク移動操作の発生の度に、アルバムメニューの表示が更新され、当該更新後に表示対象アートワークとして表示されているタイトルアートワークのうちで最も右端に表示されたタイトルアートワークと、右端に表示されたタイトルアートワークのタイトル以前の各タイトルのタイトルアートワークのみが表示候補タイトルアートワークに設定されることになる。
【００４０】
さて、以上のように、ユーザは、タイトルアートワーク移動操作によって、図表示対象アートワークとして表示されるタイトルアートワークを増減させたり変更することができる。また、このように、タイトルアートワークを増減させたり変更させながら、ユーザは、目的とするタイトルのタイトルアートワークを探索したならば、図５ｃに示すように、探索したタイトルアートワーク４５５を表示対象アートワーク選択操作によって選択したり、さらに、再生指示操作を行って当該タイトルの再生を行ったりすることができる。
【００４１】
次に、ステップ３０４-３１２の監視中、図５ｄに示すように、タイトルアートワーク４５１-４５４が表示対象アートワークとして表示されている状態でスクロール操作が発生したならば（ステップ３０４）、アルバムのアルバムアートワークと、タイトル展開中アルバムの表示候補タイトルアートワークのみを対象として、表示対象アートワークとしてアルバムメニューに配置するアルバムアートワーク、タイトルアートワークとその配置を、スクロール操作のスクロール方法と、スクロール量に応じて更新する（ステップ３１４）。
【００４２】
すなわち、図５ｄの状態において図５ｅに示すように左方向のスクロール操作が発生したならば、スクロール方向と反対の右方向に、スクロール操作の操作量分、当該時点における表示対象アートワークのアルバムメニュー上の配置位置を移動すると共に、移動の結果、アルバムメニューの領域外の位置となる表示対象アートワーク４５３、４５４、４０４は、表示対象アートワークから除外し、その表示を消去する。
【００４３】
そして、右方向の移動によって生じたアルバムメニュー上の左側の空白に、移動後にアルバムメニューの左側端の表示対象アートワークの、後述するアートワーク配列順序上直前のアートワーク以前のアートワークを、アートワーク配列順序の逆順に従って空白に配置可能な数選択し、表示対象アートワーク４０２、４０１として、アルバムメニューに、前記アートワーク配列順序の逆に従って右から左に一列に配置する。
【００４４】
ここで、アートワーク配列順序は、各アルバムアートワークと各表示候補タイトルアートワークの順番を定めるものであり、各順番は次のように定める。
すなわち、アルバムアートワークのアートワーク配列順序上の順番Ｊは、当該アルバムアートワークのアルバムのアルバム順序上の順番をｎ、当該アルバムアートワークのアルバムよりもアルバム順序上前の各アルバムの各タイトルのタイトルアートワークのうちの表示候補タイトルアートワークとなっているタイトルアートワークの総数をｍとして、Ｊ=ｎ+ｍとする。また、表示候補タイトルアートワークのアートワーク配列順序上の順番Ｋは、当該表示候補タイトルアートワークのタイトルが属するアルバムのアルバムアートワークのアートワーク配列順序上の順番をＪ、当該表示候補タイトルアートワークのタイトルのタイトル順序上の順番をｐとして、Ｋ=Ｊ+ｐとする。このように、アートワーク配列順序を定めることにより、たとえば、図５ｄに示したようにタイトルアートワークを表示した後に、当該表示の全体をタイトルアートワークの表示が失われないようにスクロールすることができるようになる。
【００４５】
さて、次に、図５ｄの状態において図５ｆに示すように右方向のスクロール操作が発生したならば、スクロール方向と反対の左方向に、スクロール操作の操作量分、当該時点における表示対象アートワークのアルバムメニュー上の配置位置を移動すると共に、移動の結果、アルバムメニューの領域外の位置となる表示対象アートワーク４０３、４５１、４５２は、表示対象アートワークから除外し、その表示を消去する。
【００４６】
そして、左方向の移動によって、当該移動によって生じたアルバムメニュー上の右側の空白に、移動後にアルバムメニューの右側端の表示対象アートワークの、アートワーク配列順序上直後のアートワーク以降のアートワークを、アートワーク配列順序に従って空白に配置可能な数選択し、表示対象アートワーク４０５、４０６として、アルバムメニューに、前記アートワーク配列順序に従って左から右に一列に配置する。
【００４７】
そして、このようにステップ３１４においてスクロール操作に応じてアルバムメニューの表示を更新したならば、図５ｆからさらに図５ｇのようにスクロールした場合のように、タイトル展開中アルバムに設定されているアルバムであって、当該アルバムのアルバムアートワーク４０３と、当該アルバムに含まれる各タイトルのタイトルアートワーク４５１-４５４の全てが表示対象アートワークでなくなったアルバムが存在するかどうかを調べて（ステップ３１６）、存在しない場合にはステップ３０４-３１２の監視に戻り、存在する場合には、存在したタイトル展開中アルバムに設定されているアルバムの、タイトル展開中アルバムとしての設定と、タイトル展開中アルバムに設定されているアルバムのタイトルの表示候補タイトルアートワークとして設定されているタイトルアートワーク４５１-４５４の全ての表示候補タイトルアートワークとしての設定を解除し（ステップ３１８）、ステップ３０４-３１２の監視に戻る。
【００４８】
ここで、このようにして、アルバムアートワーク４０３のアルバムのタイトル展開中アルバムとしての設定が解除されると、以降のスクロールでは、図５ｈに示すように、アルバムアートワーク４０３のみが表示され、アルバムアートワーク４０３のアルバムの各タイトルのタイトルアートワーク４５１-４５４は表示されなくなる。
【００４９】
以上、本発明の実施形態について説明した。
ところで、以上の実施形態では、アルバムメニューにおいて、表示対象アートワークとしたアルバムアートワークやタイトルアートワークを左右一列に並べて表示する場合について示したが、これは、アルバムメニューにおいて、表示対象アートワークとしたアルバムアートワークやタイトルアートワークを上下一列に並べて表示するようにしてもよい。
【００５０】
また、アルバムメニューにおいて、表示対象アートワークとしたアルバムアートワークやタイトルアートワークを円輪状に一列に並べて表示するようにしてもよい。
すなわち、この場合には、アルバムメニュー表示開始時に、図６ａに示すように、各アルバムのアルバムアートワークを表示対象アートワークに設定して、表示対象アートワーク６０１を円環を形成するように円上に一列に並べて表示する。また、このアルバムメニューでは、より前に位置する表示対象アートワークを、より大きなサイズで表示するようにする。そして、図６ｂに示すようにスクロールバー４１０のスクロール操作に応じて、表示対象アートワーク６０１で形成される円環を回転したり、図６ｃに示すように、タイトルアートワーク展開操作に応じて、選択されたアルバムアートワーク６０１ａのアルバムの各タイトルのタイトルアートワーク６０２を表示対象アートワークとして、選択されたアルバムアートワーク６０１ａとその次に配置されているアルバムアートワーク６０１ｂの間に挿入表示するようにする。また、図６ｂ、ｄに示すように、このアルバムメニュー上でアルバムアートワーク６０１やタイトルアートワーク６０２の選択操作を受け付けたアルバムやタイトルの再生を、再生指示操作に応じて行うようにする。
【００５１】
また、以上の実施形態は車載オーディオ装置１への適用を例にとり説明したが、本実施形態は、ポータブルオーディオプレイヤなどの任意のオーディオ装置に同様に適用することができる。
以上のように、本実施形態によれば、アルバム画像を一列に配置した形態でアルバム画像の一覧をアルバムメニュー中に表示すると共に、ユーザのアルバム画像に対する展開操作に応じて、当該アルバム画像のアルバムの各タイトルのタイトル画像を、アルバムメニュー上のアルバム画像列中に挿入配置した形態で表示する。したがって、アルバム画像の一覧の表示スペースを、タイトル画像の一覧の表示に共用することができ、これにより各画像のサイズを大きく確保しつつ、アルバム画像の一覧とタイトル画像の一覧を同時に表示するこができる。よって、比較的小型の表示装置を用いた場合にも、視認性や操作性を確保しつつ、ユーザのアルバムやタイトルの選択を支援することができるようになる。
【図面の簡単な説明】
【００５２】
【図１】本発明の実施形態に係る車載オーディオ装置の構成を示すブロック図である。
【図２】本発明の実施形態に係るミュージックデータベースの内容を示す図である。
【図３】本発明の実施形態に係る再生制御処理を示すフローチャートである。
【図４】本発明の実施形態に係る車載オーディオ装置の表示画面例を示す図である。
【図５】本発明の実施形態に係る車載オーディオ装置の表示画面例を示す図である。
【図６】本発明の実施形態に係る車載オーディオ装置の表示画面例を示す図である。
【符号の説明】
【００５３】
１…車載オーディオ装置、２…ポータブル記憶装置、１１…ラジオ受信機、１２…リムーバブルディスクドライブ、１３…外部インタフェース、１４…ＨＤＤ、１５…オーディオ処理部、１６…スピーカ、１７…操作部、１８…表示部、１９…制御部、２０…ミュージックプレイヤ。
【図１】
0005284671.tif 000002
【図２】
0005284671.tif 000003
【図３】
0005284671.tif 000004
【図４】
0005284671.tif 000005
【図５】
0005284671.tif 000006
【図６】
0005284671.tif 000007